(57)【要約】      （修正有）【課題】切削と骨粉採取を同時作業でき、かつ、歯と歯の間の部位から骨採取でき、作業性がよく、しかもインプラント植立穿孔からコンパクト化した装置で骨を収集するので安全作業でき、患者の負担も少なく、その上、オートクレープで滅菌でき感染症などの危険がない歯科用骨粉収集用装置を提供する。【解決手段】歯と歯の間が狭い部位でも、装置の外径を６．０ｍｍとし、全長を、３３．０ｍｍとし、かつ、本体ハウジング２に骨収納ハウジング４自体を収納するため、深く穿孔する際、作業性がよく、その構造は、切削具１に本体ハウジング２、スプリング７、ストッパー兼、軸受け及びスプリング収納具３を取り付け最後に、骨収納ハウジング４を取り付け、本体ハウジング２には、Ｚ型ガイド溝１０を施し、骨収納ハウジング４に取り付けてあるガイドネジ８を介し、本体ハウジング２内部に設置してあるスプリング７の反発力で上下に、スムーズ移動する。【選択図】図１
0003141122.tif 000002
【実用新案登録請求の範囲】
【請求項１】
歯科用ハンドピースの回転するチャックに着脱自在に装着され、インプラント植設部、又は別の部位から補填する骨粉を切削収集する歯科用骨収集装置において、先端に切削部を形成した棒状切削具をチャックに装着し、該切削部から送り込まれる骨粉を収集する一端を開口とし、他端に該切削部を挿通する挿通孔及び骨収集部を有する円筒状の骨収納ハウジングと該ハウジングの上端部に解体自在に装着した筒状のストッパー兼軸受け及びスプリング収納具を棒状切削具の移動に応じて所定範囲で上下自在に移動でき、また、周面にＺ型ガイド溝を備えた有低筒体状の本体ハウジングを骨収納ハウジングの外側に移動可能に装着した構成としたことを特徴とする歯科用骨粉収集用装置。
【請求項２】
請求項１において、前記歯科用骨粉収集用装置は構成材がすべてオートクレープに耐えられる耐熱材料で製作されていることを特徴とする歯科用骨収集装置。
【請求項３】
請求項１又は２において、前記本体ハウジングは、切削具及びストッパー兼、軸受け及びスプリング収納具によって閉空間が形成されていることを特徴とする歯科用骨粉収集装置。
【請求項４】
請求項１〜３いずれか１項において、本体ハウジングの壁に形成されたＺ型ガイド溝に骨収納ハウジングに設けたガイドネジの取り付け頭部突出し、Ｚ型ガイド溝にガイドされて上記ハウジング同士が着脱自在に装着されていることを特徴とする歯科用骨収集装置。
【請求項５】
請求項１〜４いずれか１項おいて、本体ハウジングに骨収納ハウジングが挿入され、穿孔時に骨収納ハウジングが本体ハウジングにガイドネジにより一体化され、前記２つのハウジングが１つになることを特徴とする歯科用骨収集装置。
【考案の詳細な説明】
【技術分野】
【０００１】    本考案は、顎にインプラントを植立時に使用する補填用の骨粉を収集する骨収集装置に係わり、骨の収集を衛生的に効率的に行え、且つ、装置の組み立て、分解、が容易で骨収納ハウジングをワンタッチで取り外すことができる。又、洗浄及び滅菌処理を容易にし、感染症の防止に役立つ歯科用骨収集装置に関する。
【背景技術】
【０００２】    この種の歯科用骨収集装置は、トレフィンバー、コレクトバー、Ｋトレフィンバー、ボーンスクレイパー、ボーンコレクター（吸引装置）が上市されていが、いずれもインプラント植立孔からの骨採取はできない。また、インプラント植立する際は、インプラント体に合わせて拡張穿孔するが、切削された骨粉は殆どが廃棄される。さらに、吸引装置で収集した骨粉は、汚染の危険がある。（例えば、特許文献１参照）
【特許文献１】特開２００５−１３７４２７
【考案開示】
【考案が解決しようとする課題】
【０００３】    従来のこの種の装置では、切削はドリルで、採取は吸引装置で行うため、口腔内の不純物又は、汚染物質も同時に採取されるという問題があった。また、フィルターの洗浄作業もあり、医療上問題となる場合がある。然るに、本考案は、インプラント植立穿孔時に廃棄される骨を汚染されずに安全に採取する。
【課題を解決するための手段】
【０００４】    このような課題を解決するため本考案は、歯科用骨収集装置全体の長さ、及び太さの制約等を解決したものである。即ち、▲１▼植立するための奥歯の穿孔深さは、約８ミリなので全長の制約、▲２▼前歯の穿孔の太さは、歯と歯の間隔が６ミリなので、直径の制約、▲３▼汚染物質に触れず安全に採取する手段を解決した。
【０００５】    さらに、本考案は、歯科用ハンドピースの回転するチャックに棒状切削具を着脱自在に装着し、かつ先端に切削部を形成した棒状切削具で、切削部から送り込まれる骨粉を収集するハウジングを備え、切削ストローク分だけ、骨収納ハウジングが本体ハウジングに収納する構造で、しかも、全体をコンパクトに構成していることを特徴とする歯科用骨収集装置としている。
【考案の効果】
【０００６】  本考案に係わる歯科用骨収集装置によれば、切削と採取を同一の装置で行うため、口腔内の不純物が採取されず衛生的で、切削と骨収集を同時作業ができる。また、装置をコンパクトに構成したため作業性がよく、装置自体も簡単に分割、解体でき採取した骨の取り出しや、洗浄も容易となる。
【０００７】  さらに、フィルターの洗浄等の困難な作業もなく、また他人の骨粉がフィルターやハウジング部内に残ることなく医療上の危険な問題も生じない大きな特徴がある。
【０００８】    ２つのハウジングセットと軸受け部材の３構成部材は、分解、組み立てが簡単なため、構成部材の洗浄が十分にできるので、他人の骨粉の残材もなく、さらに構成部材がステンレスのため１３５℃以上のオートクレープ処理で滅菌を完璧に施し、危険な感染症を防止でき、安全で衛生的であり、構造が単純なためコンパクト化できる。
【０００９】  さらに、穿孔中にカバー材的な本体ハウジングの内部に骨収納ハウジングが徐々に挿入されていくので、骨収納ハウジングの長さが動作に支障を与えず、歯科用骨収集装置の全長を短くでき操作性、作業性を飛躍的に向上できる。
【００１０】    以下に、本考案に係わる歯科用骨収集装置の一実施例を示す図面を用いて詳細に説明する。図１は、本考案に係る歯科用骨収集装置の一部を破断して示す正面図であり、図２は、本考案に係る歯科用骨収集装置の穿孔中の一部を破断して示す正面図であり、図３は、本体ハウジングの説明図であり、図（Ａ）、（Ｂ）は、歯科用骨収集装置の平面図と底面図、図（Ｃ）は正面図である。また、図４（Ａ）、（Ｂ）は、骨収納ハウジングを示す説明図であり、図５は、骨収納ハウジングの一部を切り欠いて示す説明図、図６は軸受け及びスプリング収納具を示す一部を切り欠いて示す説明図である。
【００１１】    歯科用骨収集装置は、歯科用ハンドピースＢに着脱自在に装着されており、歯科インプラント治療において、棒状切削具等を回転する汎用の回転駆動装置であり、本考案ではインプラント植立部または、一般には別の部位から骨造成のため補填する骨粉Ａを切削収集する際に使用する回転駆動装置である。
【００１２】    歯科用骨収集装置は、主な構成は棒状切削具１、有低筒体状の本体ハウジング２と円筒状の骨収納ハウジング４から構成されている。棒状切削具は、ドリルのようなもので、図１，図２に示すように先端に切削部９が形成され、後端は、歯科用ハンドピースにチャッキングされる形状に形成されている。
【００１３】    歯科用骨収集装置は、切削部９から切削によって送りこまれる骨粉Ａ（図２に示す）を収集する骨収納ハウジング４に収納される。切削具が軸方向にストローク分だけ進んだ量が収集される。
【００１４】    歯科用骨収集装置は図１、図２に示すように太さ直径が約６〜８ｍｍ位、長さは２０ｍｍ位で、本体ハウジング２の内側とストッパー兼軸受け及びスプリング収納具３との間にスプリング７を介し閉空間を構成する構造に形成されている。
【００１５】    本体ハウジング２の側面に施したＺ型ガイド溝１０を介して骨収納ハウジング４が本体ハウジング２内部に収納できる。また、Ｚ型ガイド溝１０の入口から縦軸方向移動溝１０ａまでの回転角度θは、１２０度である。
【００１６】  また、本体ハウジング２に施したＺ型ガイド溝１０で、入り口から１２０度移動した所から縦軸方向移動溝１０ａの下に少し窪み１０ｂを設けてガイドネジ８、例えば十文字頭ネジを介して停止し、安定さるように形成した。
【００１７】    図５に示すストッパー兼軸受け及びスプリング収納具３は、図１，及び図２に示すように圧縮されたスプリングコイル７は、収納部１２に全て収納される。
【００１８】    コイルスプリング７は、骨収納ハウジング４に付いているガイドネジ８をガイド溝下の溝窪み１０ａへ載置し、停止位置が移動しないにようにガイドするのに役立つ。なお、１１は骨収納ハウジングの面取りされた底部である。
【００１９】  Ｚ型ガイド溝１０は、図３に示すように切削具の回転方向と反対方向に溝を設けているため、解体のため本体ハウジング２から骨収納ハウジング４を取り外すには、回転方向にねじれば簡単に取り外せる。
【００２０】  歯科用骨収集装置を構成部品は、万が一、構成部品に他人の骨粉Ａが付着していたとしてもその細胞やその他病原菌を死滅させるためオートクレープで滅菌する必要がある。従って、本装考案に係る歯科用骨収集装置は、全てがオートクレープによる熱等に耐える耐熱性、耐摩耗性、耐錆性材料を有する素材で、製作し、かつ口腔内での使用のため殺菌等のため沸騰及び消毒をする必要が
【００２１】  次に、歯科用骨収集装置の使用方法を簡単に説明する。まず、本体ハウジング２に切削具１のストッパー兼軸受け及びスプリング収納具３を組み込んだ状態と骨収納ハウジング４を２分割し、オートクレープで滅菌する。次に、本体ハウジング２の溝加工を施した型ガイド溝１０に骨収納ハウジング４を右方向にねじ込む、溝窪み１０ａの位置に回転して、骨収納ハウジング４を安定させる。
【００２２】    次に、切削具１の後端部を歯科用ハンドピースＢに取り付けて回転させ、採取部位に切削部９を押しあて徐々に押し込む、切削部９から送り込まれた骨粉Ａが、骨収納ハウジング４に徐々に収納される。それと同時に骨収納ハウジング４が、図２に示すように本体ハウジングに挿入し、所定の深さに達するとストッパー３により、移動が停止し完了する。
【００２３】  切削された骨粉Ａは、切削部９の螺旋溝に沿って上昇させられて、骨収納ハウジング４に送り込まれ採取される。また、スプリング収納具３の裏面に到達した骨粉Ａは、ここで骨収納ハウジング４に戻される。なお、この時間は外部注水による骨粉Ａに熱の影響を与えないように注意する。
【００２４】    この様にして、収集された熱の影響を受けない骨粉Ａは骨収納ハウジング４に採取されたなら、骨収納ハウジング４を左方向にねじって骨収納ハウジング４を取り外し、内部に堆積した骨粉Ａをトレー等に取り出す。
【００２５】    次に、骨収納ハウジング４と本体ハウジング２と切削部９とストッパー兼軸受け及びスプリング収納具３を２分割し、洗浄後にオートクレープで滅菌する。
【００２６】    なお、切削部９の磨耗が生じた際は、Ｅリング５を取り外し、座金６及び本体ハウジング２とスプリング７とスットパー兼軸受け及びスプリング収納具３をそれぞれ取り外し、新品の切削具１と交換する。
【００２７】  従って、切削採取された自分の骨粉Ａは、顎骨である歯槽骨に植立するインプラントと植立孔間の隙間を充填するように供給され、インプラントと顎の一体化の促進を図るのに役立つ。
【図面の簡単な説明】
【００２８】
【図１】本考案に係る歯科用骨粉収集用装置の一実施例を一部切り欠いて示す正面図である。
【図２】本考案に係る歯科用骨粉収集用装置の一実施を一部切り欠いて示す穿孔時の正面図である。
【図３】本考案に係る歯科用骨粉収集用装置を示す説明図であり、図（ａ）は平面図、図（ｂ）は底面図、図（ｃ）は正面図である。
【図４】本考案に係る歯科用骨粉収集用装置に使用する本体ハウジングを示す説明図であり、図（ａ）は正面図、図（ｂ）は側面図である。
【図５】本考案に係る歯科用骨粉収集用装置に使用する骨収納ハウジングの一部を切り欠いて示す正面図である。
【図６】本考案に係る歯科用骨粉収集用装置に使用するストッパー兼軸受け及びスプリング収納具の一部を切り欠いて示す正面図である。
【符号の説明】
【００２９】    １  切削具
２  本体ハウジング
３  ストッパー兼軸受け及びスプリング収納具
４  骨収納ハウジング
７  コイルスプリング
８  ガイドネジ
９  切削部
１０  Ｚ型ガイド溝
１２  スプリング収納部
Ａ  骨粉
Ｂ  ハンドピース
Ｃ  骨採取部位
【図１】
0003141122.tif 000003
【図２】
0003141122.tif 000004
【図４】
0003141122.tif 000005
【図５】
0003141122.tif 000006
【図６】
0003141122.tif 000007
【図３】
0003141122.tif 000008